(57)【要約】【課題】  カップル及び閲覧者の双方にとって利便が高いホームページを開設し、当該カップルにとって心に残る記念品を提供する。【解決手段】  結婚情報提供システムは、少なくともカップルに対する祝辞の言葉を電子メールとして作成して送信するためのページが設けられた当該カップルに専用の結婚情報ホームページを開設するサーバ装置１０と、結婚情報ホームページを閲覧する閲覧者が所持する携帯型の閲覧者端末機３０と、サービスを提供する管理者が所持する管理者端末機４０とを備える。閲覧者端末機３０は、結婚情報ホームページの閲覧の際に電子メールをサーバ装置１０に対して送信し、管理者端末機４０は、結婚情報ホームページの掲載期間の終了後に、サーバ装置１０に格納されている電子メールを収集し、カップルに対して記念品として提供されるアルバムに印刷するデータを作成する。【選択図】  図１
2005316740.tif 000002
【特許請求の範囲】
【請求項１】
結婚するカップルから所定の人々に知らせたい情報を掲載したホームページを開設して提供する結婚情報提供システムであって、
少なくとも上記カップルに対する祝辞の言葉を電子メールとして作成して送信するためのメール作成ページが設けられた携帯型端末機によって閲覧可能な当該カップルに専用の結婚情報ホームページを開設するサーバ装置と、
上記サーバ装置に開設された上記結婚情報ホームページを閲覧する閲覧者が所持する上記携帯型端末機としての閲覧者端末機と、
サービスを提供する管理者が所持する管理者端末機とを備え、
上記閲覧者端末機は、上記結婚情報ホームページの閲覧の際に上記メール作成ページを介して上記電子メールを上記サーバ装置に対して送信し、
上記管理者端末機は、上記結婚情報ホームページの掲載期間の終了後に、少なくとも上記閲覧者端末機によって上記メール作成画面を介して送信されて上記サーバ装置に格納されている電子メールを収集し、上記カップルに対して記念品として提供される当該電子メールの内容を含む情報を印刷して製本したアルバムに印刷するデータを作成すること
を特徴とする結婚情報提供システム。
【請求項２】
上記サービスの利用者である上記カップルが所持する利用者端末機を備え、
上記利用者端末機は、上記カップルに専用の作業ホームページにアクセスし、上記結婚情報ホームページの更新を行うこと
を特徴とする請求項１記載の結婚情報提供システム。
【請求項３】
上記利用者端末機は、上記カップルに固有に付与されたアクセスコードを入力して上記作業ホームページにアクセスすること
を特徴とする請求項２記載の結婚情報提供システム。
【請求項４】
上記閲覧者端末機は、上記カップルから報知された上記アクセスコードを入力して上記結婚情報ホームページにアクセスすること
を特徴とする請求項３記載の結婚情報提供システム。
【請求項５】
上記サーバ装置には、上記カップル毎のデータベースが構築されており、
上記管理者端末機は、所定の管理画面を介して上記データベースを参照し、受注管理を行うこと
を特徴とする請求項１乃至請求項４のうちいずれか１項記載の結婚情報提供システム。
【請求項６】
上記結婚ホームページには、さらに、上記カップルのプロフィールを記載したページ、上記カップルの画像データを掲載したページ、挙式及び披露宴の予定日や開催場所に関する情報を記載したページ、二次会の開催日時及び開催場所に関する情報を記載したページ、上記カップルの新居に関する情報を記載したページ、上記カップルへの伝言を書き込むための掲示板を掲載したページ、上記カップルの日記を掲載したページ、挙式当日に上記閲覧者としての列席者が撮像した画像データを投稿させて当該画像データについてのコンテストを行うページ、及び／又は披露宴若しくは二次会時に実施する各種ゲームを実行するページが設けられていること
を特徴とする請求項１乃至請求項５のうちいずれか１項記載の結婚情報提供システム。
【請求項７】
上記閲覧者端末機は、カメラ付きの携帯電話機であること
を特徴とする請求項１乃至請求項６のうちいずれか１項記載の結婚情報提供システム。
【請求項８】
結婚するカップルから所定の人々に知らせたい情報を掲載したホームページを開設して提供する結婚情報提供方法であって、
少なくとも上記カップルに対する祝辞の言葉を電子メールとして作成して送信するためのメール作成ページが設けられた携帯型端末機によって閲覧可能な当該カップルに専用の結婚情報ホームページをサーバ装置に開設し、
上記携帯型端末機としての閲覧者端末機を用いて上記サーバ装置に開設された上記結婚情報ホームページを閲覧した際に、上記メール作成ページを介して上記電子メールを上記サーバ装置に対して送信し、
上記結婚情報ホームページの掲載期間の終了後に、少なくとも上記閲覧者端末機によって上記メール作成画面を介して送信されて上記サーバ装置に格納されている電子メールを、サービスを提供する管理者が所持する管理者端末機によって収集し、
上記カップルに対して記念品として提供される当該電子メールの内容を含む情報を印刷して製本したアルバムに印刷するデータを上記管理者端末機によって作成すること
を特徴とする結婚情報提供方法。
【発明の詳細な説明】
【技術分野】
【０００１】
本発明は、結婚するカップルから所定の人々に知らせたい情報を掲載したホームページを開設して提供する結婚情報提供システム及び結婚情報提供方法に関する。
【背景技術】
【０００２】
近年、インターネットをはじめとする情報技術の進歩にともない、挙式を執り行うにあたって提供されるサービスも多様化している。例えば、かかるサービスとしては、結婚するカップルのプロフィールや挙式に関する情報を掲載したホームページを、インターネットを介して知人等に公開するものがある。具体的には、かかるサービスを実現するシステムとして、例えば特許文献１等に記載されたものがある。
【０００３】
【特許文献１】特開２００４−６２８０９号公報
【０００４】
この特許文献１には、通信ネットワーク上に開設された、カップルの結婚に関わる情報を記載したホームページを、通信ネットワークを介してユーザに閲覧させる結婚記念ホームページ開設システムが開示されている。特に、この結婚記念ホームページ開設システムは、カップルのなれ初めをコミック風に紹介する情報を含めた結婚に関わる情報を、カップル毎に一定期間、ホームページ上で公開する公開手段と、この公開手段によって公開されているホームページに通信ネットワークを介してアクセスしてきた端末装置のユーザにホームページを閲覧させる閲覧対応手段とを備えたものである。これにより、この結婚記念ホームページ開設システムにおいては、ホームページで提供される結婚に関わる情報にカップルのなれ初めをコミック風に紹介する情報が含まれていることから、単にカップルのプロフィールや挙式時の様子のみを掲載した従来のホームページに比べて、閲覧者にとって親近感が沸き魅力あるホームページを提供することができ、業者にとってもビジネス価値を向上させることができるとしている。
【発明の開示】
【発明が解決しようとする課題】
【０００５】
しかしながら、上述した特許文献１をはじめとする従来のシステムにおいては、結婚するカップルに関する情報をホームページに掲載する際に、当該ホームページを開設するサーバ装置側でレイアウトをはじめとする各種加工を施す必要があり、サーバ装置の負担が大きいという問題があった。
【０００６】
また、かかるシステムにおいては、結婚するカップルに関する情報を一方的にホームページに掲載するものであることから、カップル以外のユーザは当該ホームページを閲覧するのみにとどまり、心から楽しむことができるものとはいえなかった。
【０００７】
さらに、かかるシステムにおいては、ホームページの閲覧に用いる端末装置として、主にパーソナルコンピュータの利用を前提としたものであった。そのため、かかるシステムにおいては、ホームページの閲覧のためにパーソナルコンピュータの操作を強いることとなるとともに、閲覧する時間や場所も限定されることとなり、煩雑な感が否めないという問題があった。
【０００８】
さらにまた、かかるシステムにおいては、ホームページに掲載した内容をＣＤ−ＲＯＭ（Compact Disc-Read Only Memory）等のコンピュータ可読媒体に記録することは行われるものの、やはりパーソナルコンピュータの操作を強いることとなり煩雑な感が否めず、また、カップルにとって心に残る記念品というには物足りないものであった。
【０００９】
本発明は、このような実情に鑑みてなされたものであり、サーバ装置の負担を低減させ、カップル及び閲覧者の双方にとって利便が高く、当該カップルにとって心に残る記念品を提供することができる結婚情報提供システム及び結婚情報提供方法を提供することを目的とする。
【課題を解決するための手段】
【００１０】
上述した目的を達成する本発明にかかる結婚情報提供システムは、結婚するカップルから所定の人々に知らせたい情報を掲載したホームページを開設して提供する結婚情報提供システムであって、少なくとも上記カップルに対する祝辞の言葉を電子メールとして作成して送信するためのメール作成ページが設けられた携帯型端末機によって閲覧可能な当該カップルに専用の結婚情報ホームページを開設するサーバ装置と、上記サーバ装置に開設された上記結婚情報ホームページを閲覧する閲覧者が所持する上記携帯型端末機としての閲覧者端末機と、サービスを提供する管理者が所持する管理者端末機とを備え、上記閲覧者端末機は、上記結婚情報ホームページの閲覧の際に上記メール作成ページを介して上記電子メールを上記サーバ装置に対して送信し、上記管理者端末機は、上記結婚情報ホームページの掲載期間の終了後に、少なくとも上記閲覧者端末機によって上記メール作成画面を介して送信されて上記サーバ装置に格納されている電子メールを収集し、上記カップルに対して記念品として提供される当該電子メールの内容を含む情報を印刷して製本したアルバムに印刷するデータを作成することを特徴としている。
【００１１】
このような本発明にかかる結婚情報提供システムにおいては、結婚が決まったカップルから所定の人々に知らせたい情報を、携帯型機器専用の結婚情報ホームページに掲載し、この結婚情報ホームページを閲覧した人々から祝辞の言葉を電子メールとして送信するとともに、この電子メールの内容を印刷して製本したアルバムを記念品としてカップルに提供する。
【００１２】
また、本発明にかかる結婚情報提供システムは、上記サービスの利用者である上記カップルが所持する利用者端末機を備え、上記利用者端末機は、上記カップルに専用の作業ホームページにアクセスし、上記結婚情報ホームページの更新を行う。これにより、本発明にかかる結婚情報提供システムにおいては、カップルが任意に自己の結婚情報ホームページを更新することができる。
【００１３】
このとき、上記利用者端末機は、上記カップルに固有に付与されたアクセスコードを入力して上記作業ホームページにアクセスすることにより、結婚情報ホームページを更新することが許可される。また、上記閲覧者端末機は、上記カップルから報知された上記アクセスコードを入力して上記結婚情報ホームページにアクセスすることにより、当該結婚情報ホームページを閲覧することが許可される。これにより、本発明にかかる結婚情報提供システムにおいては、不正な第三者による結婚情報ホームページの改変や閲覧を確実に防止することができる。
【００１４】
さらに、本発明にかかる結婚情報提供システムにおいて、上記サーバ装置には、上記カップル毎のデータベースが構築されており、上記管理者端末機は、所定の管理画面を介して上記データベースを参照し、受注管理を行う。これにより、本発明にかかる結婚情報提供システムにおいては、管理者が受注した内容を確実に把握することができる。
【００１５】
なお、上記結婚ホームページには、コンテンツとして、さらに、上記カップルのプロフィールを記載したページ、上記カップルの画像データを掲載したページ、挙式及び披露宴の予定日や開催場所に関する情報を記載したページ、二次会の開催日時及び開催場所に関する情報を記載したページ、上記カップルの新居に関する情報を記載したページ、上記カップルへの伝言を書き込むための掲示板を掲載したページ、上記カップルの日記を掲載したページ、挙式当日に上記閲覧者としての列席者が撮像した画像データを投稿させて当該画像データについてのコンテストを行うページ、及び／又は披露宴若しくは二次会時に実施する各種ゲームを実行するページを設けることができる。
【００１６】
また、上記閲覧者端末機は、カップルに対する祝辞の言葉を電子メールとして送信する際に画像データを添付するために、カメラ付きの携帯電話機であるのが望ましい。
【００１７】
また、上述した目的を達成する本発明にかかる結婚情報提供方法は、結婚するカップルから所定の人々に知らせたい情報を掲載したホームページを開設して提供する結婚情報提供方法であって、少なくとも上記カップルに対する祝辞の言葉を電子メールとして作成して送信するためのメール作成ページが設けられた携帯型端末機によって閲覧可能な当該カップルに専用の結婚情報ホームページをサーバ装置に開設し、上記携帯型端末機としての閲覧者端末機を用いて上記サーバ装置に開設された上記結婚情報ホームページを閲覧した際に、上記メール作成ページを介して上記電子メールを上記サーバ装置に対して送信し、上記結婚情報ホームページの掲載期間の終了後に、少なくとも上記閲覧者端末機によって上記メール作成画面を介して送信されて上記サーバ装置に格納されている電子メールを、サービスを提供する管理者が所持する管理者端末機によって収集し、上記カップルに対して記念品として提供される当該電子メールの内容を含む情報を印刷して製本したアルバムに印刷するデータを上記管理者端末機によって作成することを特徴としている。
【００１８】
このような本発明にかかる結婚情報提供方法においては、結婚が決まったカップルから所定の人々に知らせたい情報を、携帯型機器専用の結婚情報ホームページに掲載し、この結婚情報ホームページを閲覧した人々から祝辞の言葉を電子メールとして送信するとともに、この電子メールの内容を印刷して製本したアルバムを記念品としてカップルに提供する。
【発明の効果】
【００１９】
本発明においては、カップル以外の閲覧者も当該カップルに対してメッセージを送ることができ、心から楽しめるコンテンツを提供することができるとともに、閲覧者が結婚情報ホームページを閲覧するためにパーソナルコンピュータを操作する必要が全くなく、また、カップルにとっても携帯型の利用者端末機を介して当該結婚情報ホームページをリアルタイムに更新することができ、カップル及び閲覧者の双方に対して高い利便を提供することができる。さらに、本発明においては、結婚情報ホームページを閲覧した閲覧者から祝辞の言葉を電子メールとして受信するとともに、これら電子メールの内容を含む各種情報を印刷して製本したアルバムを記念品としてカップルに提供することから、当該カップルにとって心に残る記念品を提供することができる。さらにまた、本発明においては、予め用意されたフォーマットにしたがってカップルから提供された文字情報や画像データをはじめとする各種情報を原則的にはそのまま反映した結婚情報ホームページを作成することにより、サーバ装置の負担を著しく低減させることができる。
【発明を実施するための最良の形態】
【００２０】
以下、本発明を適用した具体的な実施の形態について図面を参照しながら詳細に説明する。
【００２１】
この実施の形態は、結婚するカップルに関する情報を提供する結婚情報提供システムである。この結婚情報提供システムは、結婚が決まったカップルから親類や知人等に知らせたい情報を、携帯電話機や携帯情報端末機（Personal Digital Assistants；ＰＤＡ）等の携帯型機器専用のホームページに掲載し、このホームページを閲覧した人々から祝辞の言葉を電子メールとして送信することができるものである。また、この結婚情報提供システムは、ホームページを閲覧した人々からの電子メールの内容を印刷して製本したアルバムを記念品としてカップルに提供することができるものである。
【００２２】
結婚情報提供システムは、図１に示すように、結婚するカップルに関する情報を掲載する当該カップルに専用のホームページである結婚情報ホームページを開設するサーバ装置１０と、当該結婚情報提供システムを利用する利用者としてのカップルが所持する利用者端末機２０と、カップルの親類や知人といった結婚情報ホームページの閲覧者が所持する閲覧者端末機３０と、当該結婚情報提供システムのサービスを提供する管理者が所持する管理者端末機４０とを備える。
【００２３】
サーバ装置１０は、当該結婚情報提供システムのサービスを提供する管理者によって管理されるものであり、利用者端末機２０のサービス利用登録に応じて、結婚するカップルに関する情報を掲載する当該カップルに専用の結婚情報ホームページを開設し、格納する。そして、サーバ装置１０は、閲覧者端末機３０からのアクセスに応じて、該当する結婚情報ホームページを閲覧させる。
【００２４】
利用者端末機２０は、当該結婚情報提供システムのサービスを利用する利用者としてのカップルが所持する情報処理端末機であり、例えばインターネットに接続可能なパーソナルコンピュータや携帯電話機が用いられる。特に、利用者端末機２０は、携帯型の端末機である場合には、サーバ装置１０に対してアップロードする画像データを任意の時間及び場所にて撮像可能とするために、カメラ付きの端末機が望ましい。利用者は、この利用者端末機２０を操作することにより、結婚情報ホームページ開設の利用登録や結婚情報ホームページの更新を行うことができる。利用者端末機２０は、利用者の操作によって入力操作された情報をサーバ装置１０に対して送信するとともに、結婚情報ホームページを表示画面に表示する。
【００２５】
閲覧者端末機３０は、カップルの親類や知人といった結婚情報ホームページの閲覧を許可された閲覧者が所持する情報処理端末機であり、例えばインターネットに接続可能な携帯電話機をはじめとする携帯型の情報処理端末機が用いられる。特に、閲覧者端末機３０は、後述するカップルに対する祝辞の言葉を電子メールとして送信する際に画像データを添付するために、カメラ付きの端末機が望ましい。閲覧者端末機３０は、閲覧者の操作のもとに、サーバ装置１０に対してアクセスして結婚情報ホームページを表示画面に表示する。また、閲覧者端末機３０は、閲覧者の操作のもとに、電子メールの作成及び送信や、掲示板への書き込みを行うこともできる。
【００２６】
管理者端末機４０は、当該結婚情報提供システムのサービスを提供する管理者が所持する情報処理端末機であり、例えばインターネットに接続可能なパーソナルコンピュータが用いられる。管理者端末機４０は、管理者の操作のもとに、当該結婚情報提供システムのサービスの利用登録を行った顧客としてのカップル毎の受注内容を管理するための画面を表示画面に表示する。
【００２７】
このような結婚情報提供システムにおいては、後に詳述するが、カップルが利用者端末機２０を用いて結婚情報ホームページ開設の利用登録を行い、結婚情報ホームページに掲載する各種情報をサーバ装置１０に対してアップロードすることにより、挙式前から挙式後の一定期間、サーバ装置１０に結婚情報ホームページを開設することができる。このとき、結婚情報提供システムにおいては、カップルに固有の乱数からなるアクセスコードが付与され、このアクセスコードを当該カップルから親類や知人といった結婚情報ホームページの閲覧者としたい人々に対して報知し、報知された人々が閲覧者端末機３０から当該アクセスコードを用いてサーバ装置１０に対してアクセスすることにより、閲覧者として当該結婚情報ホームページを閲覧することが可能となる。
【００２８】
具体的には、結婚情報提供システムにおいては、アクセスコードが報知された者が、開設された結婚情報ホームページを閲覧する場合には、閲覧者端末機３０によってサーバ装置１０を管理する管理者の電子メールアドレス宛に空メールを送信すると、サーバ装置１０から閲覧者端末機３０に対して、例えば図２に示すような返信メールが送信される。閲覧者は、閲覧者端末機３０を操作して、この返信メールに記載されたＵＲＬ（Uniform Resource Locator）を選択することにより、結婚情報ホームページの閲覧への誘導画面を当該閲覧者端末機３０の表示画面に表示させる。そして、閲覧者は、閲覧者端末機３０を操作して、この誘導画面に表示されたアクセスコード入力ボックスに、報知されたアクセスコードを入力することにより、カップルの結婚情報ホームページにアクセスすることが許可される。
【００２９】
さて、ここでは、結婚情報提供システムにおける具体的なサービス内容を明確化するために、結婚情報ホームページの概略内容について説明する。
【００３０】
閲覧者端末機３０においては、結婚情報ホームページにアクセスすると、その表示画面に例えば図３に示すようなメニューページが表示される。メニューページには、閲覧者に対するメッセージの他、当該結婚情報ホームページを構成する複数のコンテンツが選択可能なメニューとして設けられている。これらメニューとしては、カップルのプロフィールを記載したページへのリンク、カップルの画像データを掲載したページへのリンク、挙式及び披露宴の予定日や開催場所に関する情報を記載したページへのリンク、挙式及び披露宴に続いて二次会が開催される場合にはその開催場所等に関する情報を記載したページへのリンク、カップルの新居に関する情報を記載したページへのリンク、カップルへの伝言を書き込むための掲示板を掲載したページへのリンク、並びにカップルに対する祝辞の言葉を電子メールとして送信するためのページへのリンクが設けられる。
【００３１】
まず、閲覧者端末機３０においては、カップルのプロフィールを記載したページへのリンクを選択することにより、例えば図４に示すようなプロフィールページが表示画面に表示される。このプロフィールページには、新郎のプロフィールを記載したページへのリンクと、新婦のプロフィールを記載したページへのリンクとが設けられている。閲覧者端末機３０においては、例えば新郎のプロフィールを記載したページへのリンクを選択することにより、例えば図５に示すように、新郎の氏名、生年月日、年齢、血液型、出生地、性格、職業、趣味、新婦との思い出の場所、新婦と出会った感想等、新郎自身がサーバ装置１０に対してアップロードした各種プロフィール情報を記載した新郎プロフィールページが表示画面に表示される。また、閲覧者端末機３０においては、新婦のプロフィールを記載したページへのリンクを選択した場合には、特に図示しないが、新婦についての同様のプロフィール情報が記載された新婦プロフィールページが表示画面に表示される。
【００３２】
また、閲覧者端末機３０においては、カップルの画像データを掲載したページへのリンクを選択することにより、例えば図６に示すような画像ページが表示画面に表示される。この画像ページには、カップル自身がサーバ装置１０に対してアップロードした各種画像データが掲載されたページへのリンクが設けられている。閲覧者端末機３０においては、所定のリンクを選択することにより、例えば図７に示すように、対応する画像データと当該画像データについての簡単な説明文等を掲載したページが表示画面に表示される。なお、この画像ページに掲載される画像データは、カップルが任意に選択してサーバ装置１０に対してアップロードしたものであることから、結婚情報提供システムにおいては、挙式前に撮像したもののみならず、例えば披露宴の最中に撮像した画像データをその場でサーバ装置１０に対してアップロードすることによって掲載することも可能であり、結婚情報ホームページの開設期間内であれば、挙式後の様子を撮像した画像データを掲載することも可能である。
【００３３】
さらに、閲覧者端末機３０においては、挙式及び披露宴の予定日や開催場所に関する情報を記載したページへのリンクを選択することにより、例えば図８に示すように、挙式及び披露宴の開催日時や開催場所等の情報を、閲覧者に対するメッセージとともに記載したページが表示画面に表示される。
【００３４】
さらにまた、閲覧者端末機３０においては、二次会の開催場所等に関する情報を記載したページへのリンクを選択することにより、例えば図９に示すように、二次会の開催日時や開催場所、その他幹事の連絡先等の情報を、閲覧者に対するメッセージとともに記載したページが表示画面に表示される。
【００３５】
また、閲覧者端末機３０においては、カップルの新居に関する情報を記載したページへのリンクを選択することにより、例えば図１０に示すように、新居の住所や最寄駅等の情報を、閲覧者に対するメッセージとともに記載したページが表示画面に表示される。
【００３６】
さらに、閲覧者端末機３０においては、カップルへの伝言を書き込むための掲示板を掲載したページへのリンクを選択することにより、例えば図１１に示すように、カップルに聞きたい事項や知らせたい事項、その他任意の情報について書き込むことができる掲示板が表示画面に表示される。閲覧者は、閲覧者端末機３０を操作して、少なくとも、自己の氏名、電子メールアドレス、及び本文を入力することにより、この掲示板に情報を書き込むことができるとともに、既に書き込まれた情報を閲覧することができる。そして、閲覧者は、閲覧者端末機３０を操作することにより、掲示板に既に書き込まれた情報に対する返事として、当該掲示板に情報を書き込むこともできる。勿論、結婚情報提供システムにおいては、カップル自身も一閲覧者として位置付けられることから、利用者端末機２０を操作することにより、当該掲示板を閲覧して書き込むことが可能とされる。
【００３７】
さらにまた、閲覧者端末機３０においては、カップルに対する祝辞の言葉を電子メールとして送信するためのページへのリンクを選択することにより、例えば図１２に示すようなメール作成ページが表示画面に表示される。このメール作成ページには、電子メールの送信者である閲覧者の電子メールアドレス、氏名及び住所を入力するボックスと、本文を入力するボックスとが設けられている。結婚情報提供システムにおいては、既存の祝電の代わりに、閲覧者が閲覧者端末機３０を操作することにより、このメール作成ページを介して、カップルに対する祝辞の言葉を電子メールとして作成して送信することができる。このとき、閲覧者端末機３０においては、この電子メールに例えば閲覧者自身を撮像した画像データを添付することができる。なお、結婚情報提供システムにおいては、かかる閲覧者からの電子メールの送信を促進させるために、例えば送信した閲覧者に対しては当該閲覧者端末機３０によって視聴可能な着信音楽データや壁紙用の画像データ等をプレゼントとしてダウンロード可能とするようなサービスを提供することもできる。このとき、結婚情報提供システムにおいては、プレゼント用の着信音楽データや画像データ等をサーバ装置１０に格納しておき、直接ダウンロードするようにしてもよく、また、これらデータをダウンロード可能に取り扱う所定の提携業者が開設するホームページからダウンロードするようにしてもよい。
【００３８】
結婚情報提供システムにおいては、このような豊富なコンテンツからなる結婚情報ホームページをサーバ装置１０に開設し、カップルが任意に選択して報知した閲覧者に閲覧させることができる。なお、結婚情報提供システムにおいては、上述した全ての情報を結婚情報ホームページに掲載するのではなく、掲載すべき情報をカップルが任意に選択することができる。ただし、結婚情報提供システムにおいては、結婚情報ホームページの内容の品質を保つために、少なくとも、カップルのプロフィールを記載したページ、カップルの画像データを掲載したページ、及びカップルに対する祝辞の言葉を電子メールとして送信するためのページを設けるのが望ましい。
【００３９】
そして、結婚情報提供システムにおいては、結婚情報ホームページの掲載期間が終了すると、先に図１２に示したメール作成画面を介して作成されて送信され、サーバ装置１０に格納されている電子メールを管理者が収集（ダウンロード）し、例えば図１３に示すように、少なくとも当該電子メールの内容の他、必要に応じて結婚情報ホームページに掲載した内容等を印刷して製本したアルバムを記念品としてカップルに提供することができる。
【００４０】
より具体的には、結婚情報提供システムにおいては、後述するように、管理者が管理者端末機４０を操作してサーバ装置１０から必要なデータをダウンロードすると、マスタデータをＣＤ−ＲＯＭ（Compact Disc-Read Only Memory）等の所定のディジタル記録媒体に複写し、ダウンロードしたデータの確認を行う。続いて、結婚情報提供システムにおいては、管理者が管理者端末機４０を操作して、指定されたテンプレートにデータを当てはめることにより、アルバムに印刷するデータを作成する。このとき、結婚情報提供システムにおいては、挙式時に撮像した画像データや写真をカップルから送付してもらうことにより、これらの画像データや写真をもアルバムに印刷するためのデータとして加えることができる。結婚情報提供システムにおいては、アルバムに印刷するデータが作成されると、このデータを管理者端末機４０から所定の印刷及び製本工場へと送信し、当該工場にて製本プロセスを実施することにより、製本されたアルバムが作製される。そして、結婚情報提供システムにおいては、作製されたアルバムの内容を管理者が確認した上で、カップルに対して当該アルバムを宅配便等の手段によって送付する。このように、結婚情報提供システムにおいては、アルバムというカップルにとって心に残る記念品を提供することができる。
【００４１】
さて、結婚情報提供システムにおいては、このような結婚情報ホームページをサーバ装置１０に開設するために、カップルが利用登録を行う必要がある。この利用登録の申込みは、例えばカップルが挙式を執り行う旨を予約した会場に専用の申込用紙を常設しておき、申込者となるカップルの氏名、住所、電話番号、電子メールアドレスといった申込みに必要な各種情報を当該申込用紙に記入することによって行うことができる。また、結婚情報提供システムにおいては、利用登録の申込みを、挙式を執り行う旨を予約した会場に設置された所定の端末機やカップル自身が所持する利用者端末機２０といった任意の端末機を介してサーバ装置１０に開設された申込み用のホームページにアクセスすることによって行うこともできる。
【００４２】
以下、このような利用登録の申込みについて説明する。なお、ここでは、説明の便宜上、端末機を介して情報を入力する場合について説明するが、結婚情報提供システムにおいては、申込用紙を用いて申込む場合についても同様の情報を当該申込用紙に記入することになる。
【００４３】
まず、結婚情報提供システムにおいては、利用登録の申込みを行う申込者としてのカップルが端末機を介して申込み用のホームページにアクセスすることにより、図１４に示すように、基本情報入力フォームに対して、自己の氏名、住所、電話番号、電子メールアドレスの他、管理者ではない代理店を介して支払いを行う場合における当該代理店のコード、任意の英数文字列からなるパスワード、及び結婚情報ホームページの背景デザインといったテンプレートとして予め用意されているデザインを入力及び選択する。
【００４４】
また、結婚情報提供システムにおいては、これら基本情報に加え、結婚情報ホームページに掲載する具体的な情報を入力する。まず、結婚情報提供システムにおいては、図１５に示すように、プロフィール入力フォームに対して、新郎及び新婦のそれぞれについての氏名、生年月日、年齢、血液型、出生地、職業、性格、趣味、結婚相手の第１印象、思い出の場所、理想の家庭、相手に対するメッセージ等の各種情報を入力する。なお、この図１５に示す情報は、カップルのプロフィールとして結婚情報ホームページに掲載されるものであるが、全ての項目について入力する必要はなく、カップルが任意に選択することができる。また、結婚情報提供システムにおいては、生年月日を入力することによって自動的に年齢を算出するようにしてもよい。
【００４５】
さらに、結婚情報提供システムにおいては、図１６に示すように、画像入力フォームに対して、結婚情報ホームページに掲載するカップルの画像データを選択するとともに、その名称及び簡単な説明文を入力する。このとき、結婚情報提供システムにおいては、ディジタルデータとしての画像データが保存されているフォルダから選択する作業を行うことになる。また、結婚情報提供システムにおいては、ディジタルデータとしての画像データを所持していないカップルについてはプリント紙を管理者に送付することにより、結婚情報ホームページに画像データを掲載することが可能となる。
【００４６】
さらにまた、結婚情報提供システムにおいては、図１７に示すように、挙式及び披露宴情報入力フォームに対して、結婚情報ホームページに掲載する挙式及び披露宴の予定日や開催場所に関する情報を入力する。また、結婚情報提供システムにおいては、挙式及び披露宴に続いて二次会を開催する予定である場合には、図１８に示すように、二次会情報入力フォームに対して、その開催場所等に関する情報を入力する。さらに、結婚情報提供システムにおいては、図１９に示すように、新居情報フォームに対して、カップルの新居の住所等に関する情報を入力する。さらにまた、結婚情報提供システムにおいては、図２０に示すように、お礼メッセージ入力フォームに対して、閲覧者からの上述した祝辞の言葉としての電子メールを受信した場合に、当該閲覧者の閲覧者端末機３０の表示画面に表示させるお礼のメッセージを入力する。
【００４７】
結婚情報提供システムにおいては、これら各種情報のうち必要項目の入力が完了すると、端末機の表示画面に図２１に示すような内容確認画面を表示させる。カップルは、この内容確認画面を介して、入力した内容を確認することができ、選択した画像データも閲覧することができる。一方、結婚情報提供システムにおいては、入力ミスや入力不足等があった場合には、その旨を報知する画面を端末機の表示画面に表示させ、再度各入力フォームへと遷移させる。
【００４８】
さらに、結婚情報提供システムにおいては、入力内容の確認が終了すると、図２２に示すように、サービスの利用料金の支払い方法を選択する選択画面を端末機の表示画面に表示させる。この支払い方法としては、クレジットカードによる支払い、現金振り込みによる支払い、及び代理店による代行支払い等が考えられる。例えば、結婚情報提供システムにおいては、端末機を介してクレジットカードによる支払いが選択された場合には、使用するクレジットカードの選択及びカード番号の入力を行う画面を表示画面に表示させ、現金振り込みによる支払いが選択された場合には、その振り込み口座番号や振り込み期日等の情報が音声及び画面を介してアナウンスされる。
【００４９】
そして、結婚情報提供システムにおいては、支払い方法の選択が完了すると、端末機の表示画面に図２３に示すような支払内容確認画面を表示させる。カップルは、この支払内容確認画面を介して、入力した内容を確認した上で、注文ボタンを選択することによって注文操作を完了する。これに応じて、結婚情報提供システムにおいては、端末機の表示画面に図２４に示すような注文完了画面を表示させる。この注文完了画面には、受注確認を示す電子メールをカップルに対して送信する旨や、サーバ装置１０に開設される結婚情報ホームページのＵＲＬや上述したアクセスコード、及び基本情報として入力されたパスワードを電子メールにてカップルに対して送信する旨が記載される。結婚情報提供システムにおいては、受注確認を示す電子メールとして、クレジットカードによる支払い又は代理店による代行支払いが選択された場合には、図２５に示すような内容からなるものが、基本情報として入力されたカップルの電子メールアドレス宛に送信され、現金振り込みによる支払いが選択された場合には、図２６に示すような内容からなるものが、基本情報として入力されたカップルの電子メールアドレス宛に送信される。なお、アクセスコードは、上述したように、カップルに固有に付与されるものであり、閲覧者がサーバ装置１０に開設された結婚情報ホームページにアクセスする際に用いるのみならず、後述するように、カップルが当該結婚情報ホームページの更新等を行うための会員専用ホームページにアクセスする際にも用いられる。
【００５０】
このようにして、結婚情報提供システムにおいては、カップルが利用者として登録されて入力された各種情報がサーバ装置１０に格納され、当該カップルに専用の結婚情報ホームページが開設される。結婚情報提供システムにおいては、管理者によってカップルからの利用料金の入金が確認されると、図２７に示すように、サーバ装置１０に開設される結婚情報ホームページのＵＲＬやこの結婚情報ホームページにアクセスするためのアクセスコード、会員専用ホームページのＵＲＬ、及び基本情報として入力されたパスワードを記載した電子メールが、サーバ装置１０から基本情報として入力されたカップルの電子メールアドレス宛に送信される。結婚情報提供システムにおいては、アクセスコードをカップルから親類や知人といった結婚情報ホームページの閲覧者としたい人々に対して報知し、上述したように、報知された人々が閲覧者端末機３０から当該アクセスコードを用いてサーバ装置１０に対してアクセスすることにより、閲覧者として当該結婚情報ホームページを閲覧することが可能となる。なお、結婚情報提供システムにおいては、図２８に示すように、挙式当日の所定時間にお祝いの電子メールをサーバ装置１０からカップルに対して自動的に送信する機能を設けてもよい。
【００５１】
つぎに、カップルが結婚情報ホームページの更新等を行うための会員専用ホームページについて説明する。
【００５２】
会員専用ホームページとは、カップルが利用登録の申込み時に入力した内容を更新するためのサービスに用いられるものである。ここで、結婚情報ホームページの更新は、カップルが任意の時間及び場所でリアルタイムに行うことが望ましい。そこで、結婚情報提供システムにおいては、会員専用ホームページとして、パーソナルコンピュータ専用のホームページではなく、携帯電話機等の携帯型の利用者端末機２０からアクセス可能なホームページを提供する。
【００５３】
具体的には、結婚情報提供システムにおいては、図２９に示すように、カップルが利用者端末機２０を用いてこの会員専用ホームページのトップページにアクセスし、アクセスコード及びパスワードを入力することによってログインすることにより、当該カップルの更新作業専用のホームページに移行し、更新作業を行うことが可能となる。この更新作業専用のホームページは、書き込みが可能であること以外は既に開設してある結婚情報ホームページと同様の内容からなる。結婚情報提供システムにおいては、既に入力した内容のいずれの項目についても、カップルが利用者端末機２０を用いて更新することができる。例えば、結婚情報提供システムにおいては、カップルが利用者端末機２０としての携帯電話機を用いて撮像した画像データをサーバ装置１０に対して随時アップロードして結婚情報ホームページを更新することにより、閲覧者に対して新鮮さを伝えることができる。なお、結婚情報提供システムにおいては、カップルが自己のアクセスコードやパスワードを忘却してしまった場合等には、図３０に示すようなヘルプ画面を利用者端末機２０の表示画面に表示させ、サーバ装置１０から申込み時に入力した電子メールアドレス宛に、アクセスコードやパスワードを記載したメールを送信させることができる。
【００５４】
さて、このような結婚情報提供システムにおいて、サーバ装置１０は、結婚情報ホームページをはじめとする各種ホームページの開設のみならず、受注した内容をカップル毎にデータベースとして管理する必要がある。以下では、かかる受注管理内容について説明する。
【００５５】
結婚情報提供システムにおいては、サーバ装置１０によって受注した内容を管理者が管理するために、当該管理者に対して所定の管理画面が用意される。管理者は、この管理画面を上述した管理者端末機４０の表示画面に表示させることにより、各種受注管理を行う。
【００５６】
まず、結婚情報提供システムにおいては、図３１上段に示すように、管理者端末機４０の表示画面に表示された管理画面を介して管理者がサーバ装置１０に対してログインすることにより、受注管理が開始される。結婚情報提供システムにおいては、サーバ装置１０に対してログインすると、同図下段に示すように、管理者端末機４０の表示画面に表示される画面が、受注管理の個別画面へのリンクが設けられた画面へと遷移する。また、この画面には、新たな注文があったときに管理者に迅速且つ容易に報知するために、注文があった場合に点滅するアイコン等も設けられている。結婚情報提供システムにおいては、受注管理の個別画面として、新規受注の内容を確認するための新規受注内容確認画面、現在サーバ装置１０にデータが存在する全ての受注データを管理するための受注データ管理画面、及び代理店コード別の受注内容を確認するための代理店別受注内容確認画面が用意される。
【００５７】
まず、新規受注の内容を確認するための新規受注内容確認画面は、図３２に示すように、少なくとも、申込者であるカップルの氏名、電子メールアドレス、及び利用料金の支払い方法が、カップル毎に個別のリストとして設けられて構成される。結婚情報提供システムにおいては、管理者が管理者端末機４０を操作して、この新規受注内容確認画面を閲覧することにより、新たに受注した内容を確認することができる。そして、結婚情報提供システムにおいては、利用料金の入金を確認した上で、新規受注内容確認画面においてカップル毎に個別に設けられた確認ボタンを管理者が管理者端末機４０を操作して選択することにより、当該カップルを新規顧客から削除することができる。この操作に応じて、結婚情報提供システムにおいては、先に図２７に示した電子メールが、サーバ装置１０からカップルの電子メールアドレス宛に送信されるとともに、カップルが申込み時に入力した情報がサーバ装置１０に対してアップロードされ、結婚情報ホームページが開設される。
【００５８】
また、現在サーバ装置１０にデータが存在する全ての受注データを管理するための受注データ管理画面は、図３３に示すように、少なくとも、アクセスコード、申込日時、申込者であるカップルの氏名、電話番号、入力された代理店コード、選択されたデザイン、挙式日、結婚情報ホームページの開設日、結婚情報ホームページの掲載終了日、祝辞の言葉としての電子メール受信のクローズ日、結婚情報ホームページの更新回数、祝辞の言葉としての電子メールの受信数、この電子メールに添付された画像データの受信数、及びカップルに記念品として提供するアルバムを作製すべくサーバ装置１０からデータをダウンロードした日付が、申込み日が新しい順序でカップル毎に個別のリストとして設けられて構成される。結婚情報提供システムにおいては、管理者が管理者端末機４０を操作して、この受注データ管理画面を閲覧することにより、カップル毎の受注についての概略内容を確認することができる。
【００５９】
ここで、結婚情報提供システムにおいては、管理者が管理者端末機４０を操作して、受注データ管理画面におけるアクセスコードの部分を選択すると、図３４に示すような顧客別データベースを管理するための顧客別データベース管理画面を表示画面に表示させる。この顧客別データベース管理画面は、カップル毎の結婚情報ホームページと同様の内容を閲覧することができるものである。管理者は、必要に応じて、この顧客別データベース管理画面を介して、例えば不適切な表現や、誤字・脱字等を変更・訂正し、サーバ装置１０に対してアップロードすることができる。ここで、結婚情報提供システムにおいては、管理者によるデータのアップロードを行う際に生じる事故を未然に防止するために、図３５に示すように、当該管理者に固有のパスワードを入力した上で、アップロードを行うことができるように構成される。結婚情報提供システムにおいては、かかるアップロードが終了してサーバ装置１０に新たな情報が格納されると、図３６に示すような画面が管理者端末機４０の表示画面に表示される。
【００６０】
さらに、結婚情報提供システムにおいては、管理者が管理者端末機４０を操作して、受注データ管理画面に設けられた検索キーボタンを選択することにより、所望の顧客を検索することができる。結婚情報提供システムにおいては、図３７に示すように、検索モードとして、代理店コード毎の顧客を検索するモードと、電話番号に基づいて顧客を検索するモードと、挙式予定日に基づいて顧客を検索するモードとが設けられる。管理者は、管理者端末機４０を操作して、これら３つのモードから所望のものを選択することにより、任意の顧客を検索することができる。
【００６１】
さらにまた、結婚情報提供システムにおいては、管理者が管理者端末機４０を操作して、受注データ管理画面におけるデータダウンロードの日付の部分を選択すると、顧客別にデータをダウンロードするための顧客別データダウンロード画面を表示画面に表示させる。この顧客別データダウンロード画面は、閲覧者からの祝辞の言葉としての電子メールの受信をクローズした後に、カップルに記念品として提供するアルバムを作製すべくサーバ装置１０からデータをダウンロードするために設けられるものである。結婚情報提供システムにおいては、かかるダウンロードを行うために、図３８に示すように、顧客別データダウンロード画面に、ダウンロードする顧客（カップル）の氏名からなる所定のページへのリンクが設けられており、さらに、このリンクが選択されることによって表示される電子メールの送信者（閲覧者）の氏名を名称としたｈｔｍｌ（HyperText Markup Language）形式等のページが当該送信者毎に作成されており、これらページにデータがダウンロード可能に記述されている。ここで、結婚情報提供システムにおいては、サーバ装置１０に格納されているデータのうち、日付が古いデータから順次管理者端末機４０に対してダウンロードされる。このとき、文字情報については、テキストファイルに変換されてダウンロードされ、画像データについては、いわゆるＪＰＥＧ（Joint Photographic Coding Experts Group）形式等の画像ファイルに変換されてダウンロードされる。また、テキストファイルは、電子メールの本文、閲覧者の電子メールアドレス、閲覧者の氏名の順序で記載されたものが形成される。ただし、テキストファイルは、画像データをともなう場合には、本文、電子メールアドレス、氏名に続けて、変換した画像ファイルのファイル名（○○○○．ｊｐｇ）の順序で記載されたものが形成される。結婚情報提供システムにおいては、このようにしてダウンロードが終了すると、この日付を受注データ管理画面に表示させるとともに、当該日付から所定期間後に、サーバ装置１０からデータが自動的に削除される。これにともない、結婚情報提供システムにおいては、受注データ管理画面からもダウンロードした顧客についての情報が抹消される。
【００６２】
なお、結婚情報提供システムにおいては、このようなページを介したデータのダウンロードを行うのみならず、例えば、管理者端末機４０の記憶装置に、ダウンロードする顧客（カップル）の氏名を名称としたフォルダを作成するとともに、このフォルダの中に電子メールの送信者（閲覧者）の氏名を名称としたフォルダを当該送信者毎に作成しておき、これらフォルダにデータを格納していてもよい。この場合も、結婚情報提供システムにおいては、サーバ装置１０に格納されているデータのうち、日付が古いデータから順次管理者端末機４０に対してダウンロードされ、この際、文字情報については、テキストファイルに変換されてダウンロードされ、画像データについては、ＪＰＥＧ形式等の画像ファイルに変換されてダウンロードされることになる。
【００６３】
さらに、代理店コード別の受注内容を確認するための代理店別受注内容確認画面は、代理店に対する請求金額を参照するために設けられるものである。具体的には、結婚情報提供システムにおいては、代理店別受注内容確認画面として、図３９に示すように、管理者端末機４０の表示画面に、参照したい代理店コードを入力するための画面を表示させる。結婚情報提供システムにおいては、管理者がこの画面を介して所望の代理店コードを入力すると、検索する月を入力するための画面を管理者端末機４０の表示画面に表示させる。これに応じて、結婚情報提供システムにおいては、入力指定した代理店コードについての注文数を含む顧客情報が管理者端末機４０の表示画面に月別に表示される。これにより、結婚情報提供システムにおいては、管理者が代理店に対する請求金額を確認することができる。
【００６４】
このように、結婚情報提供システムにおいては、サーバ装置１０に顧客毎のデータベースを構築し、これを管理者端末機４０によって参照し、各種管理画面を表示画面に表示させることができ、管理者が受注した内容を確実に把握することができる。
【００６５】
以上説明したように、本発明の実施の形態として示す結婚情報提供システムにおいては、カップルから親類や知人等に知らせたい情報を掲載した閲覧者端末機３０によって閲覧可能な結婚情報ホームページをサーバ装置１０に開設するとともに、この結婚情報ホームページを閲覧した閲覧者から祝辞の言葉を電子メールとして受信することにより、カップル以外の閲覧者も当該カップルに対してメッセージを送ることができ、心から楽しめるコンテンツを提供することができる。
【００６６】
また、結婚情報提供システムにおいては、閲覧者が結婚情報ホームページを閲覧するためにパーソナルコンピュータを操作する必要が全くなく、また、カップルにとっても携帯型の利用者端末機２０を介して当該結婚情報ホームページをリアルタイムに更新することができ、カップル及び閲覧者の双方に対して高い利便を提供することができる。
【００６７】
さらに、結婚情報提供システムにおいては、結婚情報ホームページを閲覧した閲覧者から祝辞の言葉を電子メールとして受信するとともに、これら電子メールの内容を含む各種情報を印刷して製本したアルバムを記念品としてカップルに提供することから、当該カップルにとって心に残る記念品を提供することができる。
【００６８】
さらにまた、結婚情報提供システムにおいては、予め用意されたフォーマットにしたがってカップルから提供された文字情報や画像データをはじめとする各種情報を原則的にはそのまま反映した結婚情報ホームページを作成することから、当該結婚情報ホームページを開設するサーバ装置１０によってレイアウトをはじめとする各種加工を施す必要がなく、サーバ装置１０の負担を著しく低減させることができる。
【００６９】
なお、本発明は、上述した実施の形態に限定されるものではない。例えば、上述した実施の形態では、結婚情報ホームページに掲載する画像データの種別については何ら言及していないが、本発明は、静止画像は勿論のこと、音声付きの動画像データであっても容易に適用することができる。
【００７０】
また、上述した実施の形態では、結婚情報ホームページのコンテンツとして、カップルのプロフィール、カップルの画像データ、挙式及び披露宴の予定日や開催場所に関する情報、二次会の開催場所等に関する情報、カップルの新居に関する情報、カップルへの伝言を書き込むための掲示板、並びにカップルに対する祝辞の言葉としての電子メールの送信が設けられるものとして説明したが、本発明は、これら以外のコンテンツを設けてもよい。例えば、結婚情報提供システムにおいては、カップルの日記を掲載したページを設けてもよく、また、挙式当日に閲覧者としての列席者が撮像した画像データを投稿させるページを設け、当該画像データについてのコンテストを行うといった娯楽性の高いコンテンツを設けることができる。このとき、結婚情報提供システムにおいては、これらのコンテンツに応じて、結婚情報ホームページにメニュー及びページを設けるのは勿論である。
【００７１】
さらに、本発明は、結婚情報ホームページのコンテンツとして、例えば、ビンゴゲーム、クイズゲーム、くじ引きゲーム等を行うためのゲームプランメニューを設け、披露宴若しくは二次会時に行う各種ゲームの演出を行うことが可能となるサービスを盛り込むようにしてもよい。結婚情報提供システムにおいては、このようなゲームプランメニューを設けることにより、例えば、披露宴や二次会における新郎新婦の中座時といった適当なタイミングで、司会者の進行のもとにゲーム内容を列席者に伝え、これに応じて、列席者が自己の携帯端末機を用いて当該ゲームプランメニューにアクセスしてゲームを行い、ゲーム勝利者にプレゼントを贈呈する、といった全く斬新な演出を提供することができる。なお、結婚情報提供システムにおいては、このような結婚情報ホームページのコンテンツとして設けられるゲームプランメニューのアクセス先として、ゲームを実施するために実行するゲームアプリケーションプログラムをサーバ装置１０に格納しておき、当該サーバ装置１０をアクセス先としてもよく、また、上述した閲覧者に対する着信音楽データや壁紙用の画像データ等のプレゼントと同様に、ゲームアプリケーションプログラムを提供している所定の提携業者が開設するホームページをアクセス先としてもよい。
【００７２】
このように、本発明は、その趣旨を逸脱しない範囲で適宜変更が可能であることはいうまでもない。
【図面の簡単な説明】
【００７３】
【図１】本発明の実施の形態として示す結婚情報提供システムの構成を説明する図である。
【図２】同結婚情報提供システムにおいて、閲覧者が結婚情報ホームページを閲覧しようとする場合にサーバ装置から閲覧者端末機に対して送信される電子メールの具体例を説明する図である。
【図３】結婚情報ホームページを構成するメニューページの具体例を説明する図である。
【図４】結婚情報ホームページを構成するプロフィールページの具体例を説明する図である。
【図５】結婚情報ホームページを構成する新郎プロフィールページの具体例を説明する図である。
【図６】結婚情報ホームページを構成する画像ページの具体例を説明する図である。
【図７】結婚情報ホームページを構成する画像データと当該画像データについての簡単な説明文等を掲載したページの具体例を説明する図である。
【図８】結婚情報ホームページを構成する挙式及び披露宴の開催日時や開催場所等の情報を記載したページの具体例を説明する図である。
【図９】結婚情報ホームページを構成する二次会の開催場所等に関する情報を記載したページの具体例を説明する図である。
【図１０】結婚情報ホームページを構成するカップルの新居に関する情報を記載したページの具体例を説明する図である。
【図１１】結婚情報ホームページを構成するカップルへの伝言を書き込むための掲示板の具体例を説明する図である。
【図１２】結婚情報ホームページを構成するメール作成ページの具体例を説明する図である。
【図１３】同結婚情報提供システムにおいて、カップルに記念品として提供されるアルバムの具体例を説明する図である。
【図１４】同結婚情報提供システムにおいて、利用登録の申込みを行う際に用いる基本情報入力フォームの具体例を説明する図である。
【図１５】同結婚情報提供システムにおいて、利用登録の申込みを行う際に用いるプロフィール入力フォームの具体例を説明する図である。
【図１６】同結婚情報提供システムにおいて、利用登録の申込みを行う際に用いる画像入力フォームの具体例を説明する図である。
【図１７】同結婚情報提供システムにおいて、利用登録の申込みを行う際に用いる挙式及び披露宴情報入力フォームの具体例を説明する図である。
【図１８】同結婚情報提供システムにおいて、利用登録の申込みを行う際に用いる二次会情報入力フォームの具体例を説明する図である。
【図１９】同結婚情報提供システムにおいて、利用登録の申込みを行う際に用いる新居情報入力フォームの具体例を説明する図である。
【図２０】同結婚情報提供システムにおいて、利用登録の申込みを行う際に用いるお礼メッセージ入力フォームの具体例を説明する図である。
【図２１】同結婚情報提供システムにおいて、利用登録の申込みを行う際に端末機の表示画面に表示される内容確認画面の具体例を説明する図である。
【図２２】同結婚情報提供システムにおいて、利用登録の申込みを行う際に端末機の表示画面に表示されるサービスの利用料金の支払い方法を選択する選択画面の具体例を説明する図である。
【図２３】同結婚情報提供システムにおいて、利用登録の申込みを行う際に端末機の表示画面に表示される支払内容確認画面の具体例を説明する図である。
【図２４】同結婚情報提供システムにおいて、利用登録の申込みを行う際に端末機の表示画面に表示される注文完了画面の具体例を説明する図である。
【図２５】同結婚情報提供システムにおいて、クレジットカードによる支払い又は代理店による代行支払いが選択された場合に、カップルの電子メールアドレス宛に送信される受注確認を示す電子メールの具体例を説明する図である。
【図２６】同結婚情報提供システムにおいて、現金振り込みによる支払いが選択された場合に、カップルの電子メールアドレス宛に送信される受注確認を示す電子メールの具体例を説明する図である。
【図２７】同結婚情報提供システムにおいて、入金確認後にカップルの電子メールアドレス宛に送信される電子メールの具体例を説明する図である。
【図２８】同結婚情報提供システムにおいて、挙式当日にサーバ装置からカップルに対して自動的に送信されるお祝いの電子メールの具体例を説明する図である。
【図２９】会員専用ホームページを構成するトップページの具体例を説明する図である。
【図３０】利用者端末機の表示画面に表示されるヘルプ画面の具体例を説明する図である。
【図３１】管理者端末機の表示画面に表示される管理画面及び受注管理の個別画面へのリンクが設けられた画面の具体例を説明する図である。
【図３２】管理者端末機の表示画面に表示される新規受注内容確認画面の具体例を説明する図である。
【図３３】管理者端末機の表示画面に表示される受注データ管理画面の具体例を説明する図である。
【図３４】管理者端末機の表示画面に表示される顧客別データベース管理画面の具体例を説明する図である。
【図３５】管理者に固有のパスワードを入力させるために管理者端末機の表示画面に表示される画面の具体例を説明する図である。
【図３６】アップロードが終了してサーバ装置に新たな情報が格納された際に管理者端末機の表示画面に表示される画面の具体例を説明する図である。
【図３７】顧客を検索するための複数の検索モードについて説明するための図である。
【図３８】管理者端末機の記憶装置に構築されるディレクトリ構造の具体例を説明する図である。
【図３９】管理者端末機の表示画面に表示される代理店別受注内容確認画面の具体例を説明する図である。
【符号の説明】
【００７４】
１０  サーバ装置
２０  利用者端末機
３０  閲覧者端末機
４０  管理者端末機
【図１】
2005316740.tif 000003
【図２】
2005316740.tif 000004
【図３】
2005316740.tif 000005
【図４】
2005316740.tif 000006
【図５】
2005316740.tif 000007
【図６】
2005316740.tif 000008
【図７】
2005316740.tif 000009
【図８】
2005316740.tif 000010
【図９】
2005316740.tif 000011
【図１０】
2005316740.tif 000012
【図１１】
2005316740.tif 000013
【図１２】
2005316740.tif 000014
【図１３】
2005316740.tif 000015
【図１４】
2005316740.tif 000016
【図１５】
2005316740.tif 000017
【図１６】
2005316740.tif 000018
【図１７】
2005316740.tif 000019
【図１８】
2005316740.tif 000020
【図１９】
2005316740.tif 000021
【図２０】
2005316740.tif 000022
【図２１】
2005316740.tif 000023
【図２２】
2005316740.tif 000024
【図２３】
2005316740.tif 000025
【図２４】
2005316740.tif 000026
【図２５】
2005316740.tif 000027
【図２６】
2005316740.tif 000028
【図２７】
2005316740.tif 000029
【図２８】
2005316740.tif 000030
【図２９】
2005316740.tif 000031
【図３０】
2005316740.tif 000032
【図３１】
2005316740.tif 000033
【図３２】
2005316740.tif 000034
【図３３】
2005316740.tif 000035
【図３４】
2005316740.tif 000036
【図３５】
2005316740.tif 000037
【図３６】
2005316740.tif 000038
【図３７】
2005316740.tif 000039
【図３８】
2005316740.tif 000040
【図３９】
2005316740.tif 000041